(57)【特許請求の範囲】
【請求項１】
椅子に対してメモ台や肘掛けなどの付属品を着脱自在に取り付ける装置において、椅子のフレームと付属品のフレームのそれぞれに径方向に突出するブラケットを設けると共にこのブラケット同士を各フレームと平行な連結ピンで着脱自在に連結して前記付属品フレームを前記連結ピンを中心に旋回可能に支持する一方、前記付属品フレームを旋回させて前記椅子フレームに巻き付けるように当接させた状態で前記付属品フレームと前記椅子フレームとを連結する連結手段を有することを特徴とする椅子用付属品の取付装置。
【請求項２】
前記各ブラケットは椅子フレームの脚部並びにこれと平行に配置される付属品フレームの取付部位に上下に並べてそれぞれ複数設けられ、椅子フレーム側のブラケットの上に付属品フレーム側のブラケットを重ねるようにしていずれか一方に設けられた連結ピンを相手側ブラケットに引っかけて水平旋回可能に連結されることを特徴とする請求項１記載の椅子用付属品の取付装置。
【請求項３】
前記付属品フレームには、同フレームのブラケットとはほぼ反対方向に突き出て前記ブラケットとの間で前記椅子フレームを囲む連結プレートを設け、この連結プレートを介して前記椅子フレームと当該付属品フレームとを連結手段で連結することを特徴とする請求項１または２記載の椅子用付属品の取付装置。
【請求項４】
前記連結プレートは、付属品フレームの複数のブラケットの間の位置に設けられていることを特徴とする請求項３記載の椅子用付属品の取付装置。
【発明の詳細な説明】
【０００１】
【産業上の利用分野】
本発明は、椅子にメモ台や肘掛けなどの付属品を取り付けるための装置に関する。更に詳述すると、本発明は、ワンタッチで着脱が可能にメモ台や肘掛けなどの付属品を取り付ける取付装置に関するものである。
【０００２】
【従来の技術】
従来、椅子にメモ台や肘掛けなどの付属品を取り付けるには、椅子のフレーム（椅子フレームと呼ぶ）に付属品のフレーム（付属品フレームと呼ぶ）を溶接やリベット締め等で完全に固定するか、あるいは実公昭５５−２８２１号に記載されているようにねじ止めなどで着脱可能に取り付ける方法が一般的である。また、メモ台等のフレームに弾性係止片を設け、椅子に対し簡単に着脱可能とするものもある（実公昭５５−１４７２号参照）。
【０００３】
【発明が解決しようとする課題】
しかしながら、溶接などで椅子フレームに付属品フレームを固定する場合には、取付剛性を大きくすることは可能となるが、その一方で付属品の取り外しが不可能となる。このため、メモ台などの付属品を使用しない場合や椅子を折り畳んだり積み重ねてかたづける場合などには邪魔になる問題を有している。
【０００４】
また、ねじ止めなどの方法で着脱自在に付属品を取り付ける場合には、付属品の着脱そのものは可能になるが、ねじ回し等の工具が必要となり着脱作業に時間がかかる不利がある。しかも、メモ台や肘掛けなどの付属品を取り外した状態においてねじを紛失する虞があり、その管理も煩わしいものとなる。
【０００５】
さらに、実公昭５５−１４７２号のように着脱が容易に行えるものは、椅子をかたづける場合の邪魔になる等の問題は生じないが、メモ台や肘掛けの使用時に弾性部がしなったり、着脱のため設計上のクリアランスが必要になり、がた付きが生じ易い。また、取付部分の剛性が小さくなるため、メモ台等に大きな力が加わると外れたり折れたりし易くなる。
【０００６】
本発明は、付属品の取外し、取付作業がワンタッチで容易に行うことができ、しかもがた付きなく支持することができ、さらに、取付剛性が大きい椅子用付属品の取付装置を提供することを目的とする。
【０００７】
【課題を解決するための手段】
かかる目的を達成するため、本発明は、椅子に対してメモ台や肘掛けなどの付属品を着脱自在に取り付ける装置において、椅子のフレームと付属品のフレームのそれぞれに径方向に突出するブラケットを設けると共にこのブラケット同士を各フレームと平行な連結ピンで着脱自在に連結して付属品フレームを連結ピンを中心に旋回可能に支持する一方、付属品フレームを旋回させて椅子フレームに巻き付けるように当接させた状態で付属品フレームと椅子フレームとを連結する連結手段を有するようにしている。
【０００８】
また、本発明の椅子用付属品の取付装置において、各ブラケットは椅子フレームの脚部並びにこれと平行に配置される付属品フレームの取付部位に上下に並べてそれぞれ複数設けられ、椅子フレーム側のブラケットの上に付属品フレーム側のブラケットを重ねるようにしていずれか一方に設けられた連結ピンを相手側ブラケットに引っかけて水平旋回可能に連結されるようにしている。
【０００９】
また、本発明の椅子用付属品の取付装置において、付属品フレームには、同フレームのブラケットとはほぼ反対方向に突き出てブラケットとの間で椅子フレームを囲む連結プレートを設け、この連結プレートを介して椅子フレームと当該付属品フレームとを連結手段で連結するようにしている。
【００１０】
更に、本発明の椅子用付属品の取付装置において、連結プレートは、付属品フレームの複数のブラケットの間の位置に設けられている。
【００１１】
【作用】
したがって、メモ台などの付属品を椅子に取り付ける場合には、椅子フレーム側のブラケットに付属品フレーム側のブラケットを連結ピンを介して連結した後、この連結ピンを中心に付属品フレーム側を旋回させれば、椅子フレームに対してブラケットおよび付属品フレームが巻き付くようにして隙間なく密着する。そこで、付属品フレームと椅子フレームとを連結手段で連結すれば、付属品フレームは椅子フレームに対してがたつきなく固定される。また、付属品の取り外しは連結手段を解除して付属品フレームを取付時とは逆方向に旋回させれば、椅子フレームを包囲していた付属品フレーム側のブラケットなどが解かれて椅子フレームを解放する。そこで、付属品フレームのブラケットと椅子フレームのブラケットとの連結を付属品フレームの移動によって解除すれば椅子から付属品が取り外される。
【００１２】
また、請求項２の発明の場合、付属品フレーム側のブラケットを椅子フレーム側のブラケットの上から重ねように載せて連結ピンを引っかけるだけで、付属品フレームを水平旋回可能に椅子フレームに支持させ、また付属品フレームの持ち上げで付属品フレームと椅子フレームとの各ブラケット同士の連結が解除される。
【００１３】
また、請求項３の発明の場合、付属品フレームから互いに逆方向に突き出るブラケットと連結プレートとによって椅子フレームが包囲される。したがって、連結ピンを中心に付属品フレームが旋回すると、椅子フレームに巻き付くように接触してブラケットと連結プレートとの間に椅子フレームが食い込むように包囲されて固定される。
【００１４】
更に、請求項４の発明の場合、椅子フレームに巻き付けられた付属品フレームをブラケットの間で連結プレートを引き寄せるようにして椅子フレームに締め付けるようにしているので、付属品フレームのがたつきと傾きが一層少なくなる。
【００１５】
【実施例】
以下、本発明の構成を図面に示す実施例に基づいて詳細に説明する。
【００１６】
図１〜図４に本発明を椅子用メモ台の取付装置に適用した実施例を示す。この実施例の取付装置５は、図１に示すように、椅子１のフレーム２の脚部に付属品たるメモ台３のフレーム４を着脱可能に取り付けるようにしたものである。なお、メモ台３あるいはその他の付属品の取付位置はこの場所に限られるものではなく、背部支持フレームや脚部横フレームなど、必要に応じてその取付位置や向きが選択される。
【００１７】
このメモ台取付装置５は、図２に示すように、椅子フレーム２及びメモ台フレーム（付属品フレーム）４を含む分解可能な２組のヒンジ２５，２５と１組の連結手段１６とで構成されている。分解可能なヒンジ２５，２５は、椅子フレーム２に固着される椅子フレーム側のブラケット（以下椅子側ブラケットと呼ぶ）６と、この椅子側ブラケット６に対向してメモ台フレーム４に固着されるメモ台フレーム側のブラケット（以下メモ台側ブラケットと呼ぶ）７およびこれられを着脱自在に連結する連結ピン６ａと孔７ａとによって構成され、椅子フレーム２及びフレーム４との間に上下に並んで配置されている。尚、連結ピン６ａは、いずれのブラケット側に設けられても良い。
【００１８】
椅子側ブラケット６は、椅子フレーム２の脚部に例えば溶接等によりほぼ水平に突き出るように固着されており、メモ台３に加わる荷重を支えることができる十分な機械的強度を有している。椅子側ブラケット６の上面には、上方に向けて突出する連結ピン６ａが一体成形されている。一方、メモ台側ブラケット７は、メモ台フレーム４の取付位置に例えば溶接等によりほぼ水平に突き出るように固着されている。メモ台側ブラケット７の先端部の連結ピン６ａに対応する位置には、連結ピン６ａが回転自在に嵌入される孔７ａが設けられている。この孔７ａを椅子側ブラケット６の連結ピン６ａに嵌めることで、メモ台側ブラケット７を椅子側ブラケット６に引っかけることができる。そして、このメモ台側ブラケット７は、椅子側ブラケット６に引っかけた状態で連結ピン６ａを中心にして水平旋回可能に支持される。ここで、メモ台側ブラケット７の少なくとも椅子フレーム２と当接する内側の面は、連結ピン６ａを中心にメモ台フレーム４を旋回させて椅子フレーム２に巻き付ける場合に、椅子フレーム２との間に指などを挟み込む隙間を形成せずかつできるだけ広い範囲で椅子フレーム２に密着する湾曲した形状を成している。
【００１９】
連結手段１６は、本実施例の場合、図２に示すように上下に配置されて２組の分解可能なヒンジ２５，２５の間に設置されている。この連結手段１６は、本実施例の場合、椅子フレーム２に取り付けられるロック機構８と、メモ台フレーム４に固着される連結プレート９によって構成されている。ロック機構８は、図３に示すように、椅子フレーム２に下向きに取り付けられるケース１０と、このケース１０を上下方向に貫通するロックピン１１と、ケース１０内に収容されてロックピン１１を常時下方へ向けて押しつけるコイルスプリング１２およびロックピン１１を持ち上げる摘みとして使われるレバー１３とから構成されている。ケース１０は、ブラケット２６を使用して椅子フレーム２の脚部に固着されている。また、ロックピン１１の上端には、レバー１３が袋ナット１４で締め付けられて取り付けられている。このレバー１３はロックピン１１の抜け止めを兼ねている。したがって、レバー１３を上方に引き上げると、ロックピン１１がコイルスプリング１２のばね力に抗して引き上げられる。そして、この状態からレバー１３を離すと、ロックピン１１は再びコイルスプリング１２のばね力で前進し、その下端がケース１０から突出する。また、ロックピン１１はその先端に上方向の力が作用したときも、コイルスプリング１２を圧縮させて上昇する。なお、図中符号１５は、スプリングワッシャである。
【００２０】
連結プレート９は、ブラケット７を旋回させて椅子フレーム２に当接させたときに、その先端部分がロックピン１１の下に対向して配置される長さを有している。そして、連結プレート９は先端部分に斜め下に折曲げられたスロープ部９ｂを有している。このスロープ部９ｂは連結プレート９がばね機構８の下に移動したときにロック機構８のロックピン１１を押し上げる。さらに、連結プレート９のスロープ部９ｂに隣接する位置には、ロック機構８のロックピン１１が入り込む孔９ａが設けられている。したがって、連結プレート９がロック機構８の下に入り込むと、自動的にスロープ部９ｂでロックピン１１を押し上げてから孔９ａにロックピン１１を陥入させる。この連結プレート９はメモ台フレーム４に溶接等によりほぼ水平に突き出るように固着されている。また、連結プレート９は、メモ台フレーム４を椅子フレーム２に取り付けた場合に、この椅子フレーム２との間に指などを挟み込む隙間を形成せずかつできるだけ広い範囲でフレーム２に密着させるため、図２に示すような湾曲した形状とすることが好ましい。ここで、連結プレート９はメモ台側ブラケット７とは逆方向に湾曲しており、図４に示すように上方からみた状態で連結プレート９及びメモ台側ブラケット７はほぼＵ字状を成している。したがって、メモ台フレーム４を連結ピン６ａを中心に旋回させて椅子フレーム２に巻き付けた場合、上下のメモ台側ブラケット７，７との間でこの両ブラケット７，７に対して椅子フレーム２を連結プレート９で押しつけ挟み付けるようにして保持する。
【００２１】
次に、図４に基づいて、椅子１にメモ台３を取り付ける場合について説明する。
【００２２】
先ず、メモ台側ブラケット７，７をそれぞれ椅子側ブラケット６，６の連結ピン６ａ，６ａに引っかけて分解可能なヒンジ２５，２５を組み立てた後、連結ピン６ａを中心にしてメモ台フレーム４を図中矢印ＣＣＷ方向に水平旋回させ、連結プレート９の先端を椅子フレーム２に固着されたロック機構８の下に移動させる。このとき、ブラケット７、メモ台フレーム４および連結プレート９、椅子フレーム２に巻き付けられるようにして当接する。一方、連結プレート９は、ロック機構８の下に入り込む際にスロープ部９ｂでロック機構８のロックピン１１を押し上げながら矢印ＣＣＷ方向に進む。そして、メモ台フレーム４側の締め付け位置例えばブラケット７及び連結プレート９の内側の面が椅子フレーム２に当たると、連結プレート９の孔９ａにロックピン１１が入り込み、連結プレート９を介して椅子フレーム２とメモ台フレーム４とが連結される。これによって、この状態では、メモ台側ブラケット７と連結プレート９との間に椅子フレーム２が食い込んでいる。したがって、メモ台フレーム４と椅子フレーム２とはがた付くことなく一体化され、メモ台３が椅子１にしっかりと取り付けられる。メモ台３にかかる荷重は、２組のヒンジ２５，２５を構成するブラケット７，６を介して椅子フレーム２で支持される。また、メモ台３に上向きの力が作用した場合には、連結プレート９がロック機構８のケース１０の下面に当たり、ブラケット７から連結ピン６ａが外れるのを防止して、メモ台３が椅子１から引き抜かれることがないようにしている。
【００２３】
一方、椅子１からメモ台３を取り外す場合には、ロック機構８のレバー１３を上方に引き上げ、ロックピン１１を連結プレート９の孔９ａから引き抜く。これによって、メモ台フレーム４の逆方向即ちＣＷ方向への水平旋回を可能とし、連結プレート９、メモ台フレーム４およびブラケット７を椅子フレーム２からほどくように開く。そして、メモ台フレーム４を持ち上げることによって、椅子フレーム２のブラケット６の連結ピン６ａがブラケット７を外してメモ台３を椅子１から取り外す。
【００２４】
なお、図中符号２３は、椅子１の座部２４を支持する横フレームである。メモ台取付装置５の大部分は、美観上、また安全上、椅子１の座部２４やフレーム２３の下に隠れるように配置することが好ましい。
【００２５】
図５にメモ台取付装置の他の実施例を示す。この実施例のメモ台取付装置５は、ピンを引っかけて連結する連結手段１６と分解可能なヒンジ２５，２５より構成され、これらは上下に並んで配置されている。なお、分解可能なヒンジ２５，２５は、図２の取付装置５のヒンジとほぼ同一に構成されているので、その詳しい説明は省略する。
【００２６】
本実施例の場合、椅子フレーム２の一方のブラケット例えば上方のブラケット１７は連結ピン１７ａの他に凹部１７ｂが設けられて連結手段１６の一部を構成している。また、椅子フレーム２に固着されるブラケット１７との間で分解可能なヒンジ２５を構成するメモ台フレーム４のブラケットは連結プレートを兼ねたＵ字形のブラケット１８により構成されている。
【００２７】
Ｕ字形プレート１８は、メモ台フレーム４に例えば溶接等によりほぼ水平に突き出るように固着されている。このＵ字形プレート１８のブラケット部１８ａ及び連結プレート部１８ｃの少なくとも椅子フレーム２と当接する内側の面は、メモ台フレーム４を椅子フレーム２に取り付けた場合にこれとの間に指などを挟み込む隙間を形成せずかつできるだけ広い範囲でフレーム２に密着する湾曲した形状を成している。また、ブラケット部１８ａの先端近傍には、孔１８ｂが設けられている。この孔１８ｂを椅子側ブラケット１７の連結ピン１７ａに嵌めることで、ブラケット部１８ａを椅子側ブラケット１７に引っかけることができる。そして、このブラケット部１８ａは、椅子側ブラケット１７に引っかけた状態で連結ピン１７ａを中心にして水平方向に回転させることができる。
【００２８】
一方、Ｕ字形ブラケット１８の連結プレート部１８ｃは、ブラケット部１８ａとは逆方向に突き出て湾曲しており、メモ台フレーム４を水平旋回させて椅子フレーム２に取り付けた場合に図６に示すように、ブラケット部１８ａと連結プレート部１８ｃとの間の又部分に椅子フレーム２を食い込ませるようにして保持する。
【００２９】
また、連結プレート部１８ｃの先端には、回転自在なチャネル状のフック部材１９が取り付けられている。このフック部材１９は、連結プレート部１８ｃに回動自在に取り付けられたシャフト２０に固着されて、連結プレート部１８ｃに対して回動できる。シャフト２０の周りには、ねじりコイルばね２１が設けられている。ねじりコイルばね２１の一端は連結プレート部１８ｃに、他端はフック部材１９にそれぞれ連結されている。このねじりコイルばね２１は、フック部材１９をブラケット部１８ａ側（以下、閉まる方向という。）に押し付けている。また、フック部材１９の先端近傍には、回転自在なストッパピン２２が取り付けられている。ストッパピン２２は、フック部材１９を上下方向に貫通し、メモ台フレーム４を椅子フレーム２に取り付けた場合に、椅子側ブラケット１７の端を乗り越えて凹部１７ｂに嵌まり込むことによって、椅子側ブラケット１７とメモ台側ブラケット部１８ｃとを固定する。このフック部材１９と椅子側ブラケット１７とによって連結手段１６が構成されている。なお、図中符号１９ａは、フック部材１９を回動させるときの摘みである。
【００３０】
次に、このメモ台取付装置を使用して、椅子１にメモ台３を取り付ける作業について図６に基づき説明する。
【００３１】
このメモ台取付装置の場合も図２の実施例のものと同様に、先ず、メモ台フレーム４を持ち上げて椅子フレーム２のブラケット１７，６の上にＵ字形ブラケット１８のブラケット部１８ａ及びブラケット７を連結ピン１７ａ，７ａを使ってそれぞれ引っかけて分解可能なヒンジ２５，２５を組み立てる。その後、フック部材１９はねじりコイルばね２１のばね力に抗してブラケット部１８ａから離れる方向に開いてから連結ピン１７ａ，６ａを中心にメモ台フレーム４を水平に図中ＣＣＷ方向に旋回させる。そして、Ｕ字形ブラケット１８及びブラケット７を椅子フレーム２に巻き付けるように押しつけてからフック部材１９を椅子側ブラケット１７の凹部１７ｂに掛けて固定する。フック部材１９はねじりコイルばね２１の弾性力で閉まる方向に回動してストッパピン２２を椅子側ブラケット１７の凹部１７ｂに嵌め込む。そして、ねじりコイルばね２１はフック部材１９を常時閉まる方向に押しつけ、ストッパピン２２が凹部１７ｂから外れるのを防止する。
【００３２】
この状態では、椅子フレーム２は、下のブラケット７と当接する一方、Ｕ字形ブラケット１８の各ブラケット部１８ａと連結プレート部１８ｃの間に食い込むように保持されているので、メモ台フレーム４は椅子フレーム２にがた付くことなく固定され、メモ台３が椅子１に強固に取り付けられる。メモ台３にかかる荷重は、主にＵ字形ブラケット１８及びメモ台側ブラケット７と椅子側ブラケット１７，６を介して椅子フレーム２によって支持される。また、メモ台３に上向きの力が作用してもチャネル形のフック部材１９が椅子側ブラケット１７を上下方向に挟み付けているので、ブラケット部１８ａ及びメモ台側ブラケット７が椅子側ブラケット１７，６の連結ピン１７ａ，６ａから外れることがなく、メモ台３が椅子１から引き抜かれることがない。
【００３３】
そして、椅子１からメモ台３を取り外す場合には、フック部材１９の摘み１９ａを摘んでこれを開く方向に回動させてストッパピン２２を椅子側ブラケット１７の凹部１７ｂから外す。これにより、メモ台フレーム４を水平に回転させることが可能になり、図２の実施例のメモ台取付装置５と同様にＵ字形ブラケット１８及びメモ台側ブラケット７を各椅子側ブラケット１７及び６から取り外すことができる。
【００３４】
尚、上述の各実施例は本発明の好適な実施の一例ではあるがこれに限定されるものではなく本発明の要旨を逸脱しない範囲において種々変形実施可能である。例えば、本実施例では、各椅子側ブラケット６，１７に連結ピン６ａ，１７ａを設ける一方、メモ台側ブラケット７，Ｕ字形ブラケット１８のブラケット部１８ａに孔７ａ，１８ｂを設ける構成としたが、各椅子側ブラケットに孔を設け、各メモ台側ブラケット側に連結ピンを設けるようにしても良い。
【００３５】
また、本実施例では、上下２箇所でメモ台フレーム４を椅子フレーム２に引っかける構成としているが、３箇所以上でメモ台フレーム４を椅子フレーム２に引っかける構成としても良い。
【００３６】
さらに、本実施例では、メモ台フレーム４を椅子フレーム２に取り付ける場合に、メモ台フレーム４側のブラケット７及びＵ字形ブラケット１８を直接椅子フレーム２に接触させる構成としたが、これらの接触部分を樹脂等で被覆しても良い。被覆を行った場合には、メモ台側ブラケット７等と椅子フレーム２との接触に起因した騒音を防止することができると共にパイプに傷をつけることがないし、被覆部材の弾性変形を利用することでフレーム４をより強固に椅子フレーム２に接触させることが可能になる。なお、被覆部材の取付方法としては、リング状に成形したものを椅子フレーム２の外周面に嵌め込む方法や、断面コ字形状に成形したものをメモ台側ブラケット７及びブラケット部１８ａの側面に嵌め込む方法が望ましい。
【００３７】
また、本実施例では主にメモ台フレーム４を椅子フレーム２の脚部に取り付け、垂直軸まわりに水平旋回させる場合について主に説明したが、これに特に限定されるものではなく、椅子フレーム２の横向きに配置された部分などに装着して水平軸を中心に垂直面内でメモ台フレーム４を旋回させて着脱操作させるようにしても良い。例えば、図７に示すように、脚部を横切る横フレーム２３に上向きに開口２６を設けたブラケット６’を突き出させて、このブラケット６’にメモ台フレーム４のブラケット７の連結ピン７ａを上から差し込んで引っかけるヒンジ２５が構成されている。ここで、連結ピン７ａは２組のブラケット７，７の間を貫通する１本の軸で構成されている。また、ヒンジ２５のほぼ反対側例えば２７０°ほど回転した所には、連結手段１６を構成するロック機構８が横フレーム２３に固着されている。したがって、メモ台フレーム４は、ブラケット７，７を貫通する連結ピン７ａを横フレーム２３のブラケット６’に開口２６から差し込むだけで横フレーム２３に旋回可能に支持される。そして、メモ台フレーム４は自重によって図上ＣＣＷ方向に旋回するため、ロック機構８に連結プレート９の先端側が移動して自動的にロックピン１１で固定される。メモ台３を取り外すときには、ロック機構８のレバー１３を手前に引っ張ってロックピン１１を外してからメモ台フレーム４を若干ＣＷ方向へ旋回させて持ち上げれば、横フレーム２３のブラケット６’から連結ピン７ａが外れてヒンジ２５が分解される。即ち、メモ台３が椅子１から外される。
【００３８】
また、上述の各実施例では、メモ台フレーム４にブラケット７の反対側に突き出る連結プレート９あるいは連結プレート部１８ｃを設けた場合について主に説明したが、これに特に限定されるものではなく、場合によっては連結プレートを設けないこともある。例えば図８に示すように、メモ台フレーム４に直接連結手段１６のロック機構８を溶接などで固着し、椅子フレーム２側に連結プレート９’を取り付けるようにしても良い。
【００３９】
【発明の効果】
以上の説明より明らかなように、本発明の椅子用付属品の取付装置は、椅子のフレームと付属品のフレームのそれぞれに径方向に突出するブラケットを設けると共にこのブラケット同士を各フレームと平行な連結ピンで着脱自在に連結して付属品フレームを連結ピンを中心に旋回可能に支持する一方、付属品フレームを旋回させて椅子フレームに巻き付けるように当接させた状態で付属品フレームと椅子フレームとを連結する連結手段を有しているので、各フレームのブラケットを重ねて連結ピンで連結した後に付属品フレームを旋回させるだけで、椅子フレームに巻き付くようにして付属品フレームが椅子フレームに固定される。しかも、連結手段を解くことで、巻き付くように取り付けられたメモ台が椅子フレームから解かれるように離されて簡単に取り外すことができる。このため、メモ台などの付属品の取り外し、取付作業が容易になる。一方、付属品フレーム及びブラケットが椅子フレームに巻き付けられて隙間無く締め付けて取り付けられるので、付属品のがた付きを防止することができ、取付剛性を大幅に向上できる。
【００４０】
また、請求項２の発明によると、付属品フレームのブラケットを椅子フレームのブラケットに載せるようにして引っかけるだけで両フレームを旋回可能に連結し、更にこの状態で連結ピンを中心に付属品フレームを旋回させるだけで簡単にメモ台を椅子に取り付けることができるので、着脱操作が一層簡単になる。
【００４１】
また、請求項３の発明によると、付属品フレームから互いに逆方向に突き出るブラケットと連結プレートとによって椅子フレームが食い込むように包囲されて固定されるので、取付剛性が一層高くなる。
【００４２】
更に、請求項４の発明によると、椅子フレームに巻き付けられた付属品フレームをブラケットの間で連結プレートを引き寄せるようにして椅子フレームに締め付けるようにしているので、付属品フレームのがたつきと傾きが一層少なくなる。
【図面の簡単な説明】
【図１】本発明に係る椅子用付属品の取付装置の使用場所を示す椅子の斜視図である。
【図２】本発明を適用した椅子用付属品の取付装置の第１の実施例を示す分解斜視図である。
【図３】図２の椅子用付属品の取付装置のばね機構を示す断面図である。
【図４】図２の矢線ＩＶ−ＩＶに沿う椅子用付属品の取付装置の断面図である。
【図５】本発明を適用した椅子用付属品の取付装置の第２の実施例を示す分解斜視図である。
【図６】図５の椅子用付属品の取付装置の、図４の断面図に対応する断面図である。
【図７】本発明を横フレームに取り付ける場合に適用した実施例を示す断面図である。
【図８】本発明の椅子用付属品の取付装置の他の実施例を示す断面図である。
【符号の説明】
１  椅子
２    椅子フレーム
３  メモ台（付属品）
４  メモ台フレーム（付属品フレーム）
５  メモ台取付装置
６，１７  椅子側ブラケット
７  メモ台側ブラケット
９  連結プレート
１１  ロックピン
１６  連結手段
１７ｂ  連結手段を構成する凹部
１８  Ｕ字形ブラケット
１８ａ  ブラケット部
１８ｂ  孔
１８ｃ  連結プレート部
１９  フック部材
【図１】
0003587898.tif 000002
【図２】
0003587898.tif 000003
【図３】
0003587898.tif 000004
【図４】
0003587898.tif 000005
【図５】
0003587898.tif 000006
【図６】
0003587898.tif 000007
【図７】
0003587898.tif 000008
【図８】
0003587898.tif 000009